(57)【特許請求の範囲】
【請求項１】
携帯端末であって、
緊急情報を受信する受信部と、
前記受信部が受信した前記緊急情報を表示する表示部と、
前記緊急情報を、前記携帯端末とは別の表示装置に送信する送信部と、
前記緊急情報を前記表示部に表示すると、前記緊急情報を前記表示装置に送信するように前記送信部を制御する制御部とを備える、携帯端末。
【請求項２】
前記携帯端末はさらに入力部を備え、
前記制御部は、前記入力部への入力に基づいて前記緊急情報を前記表示部に表示すると、前記緊急情報を前記表示装置に送信するように前記送信部を制御する、請求項１に記載の携帯端末。
【請求項３】
前記携帯端末はさらに記憶部を備え、
前記制御部は、前記表示装置を送信先として特定する情報を前記記憶部に保存し、前記緊急情報を前記表示部に表示すると、前記記憶部に保存されている前記表示装置を送信先として特定する情報に基づいて前記緊急情報を前記表示装置に送信するように前記送信部を制御する、請求項１に記載の携帯端末。
【請求項４】
前記制御部は、前記送信部から前記表示装置への前記緊急情報の送信を中継する中継器に関する情報を前記記憶部に保存し、前記緊急情報を前記表示部に表示すると、前記記憶部に保存されている前記表示装置を送信先として特定する情報と前記中継器に関する情報とに基づいて前記緊急情報を前記表示装置に送信するように前記送信部を制御する、請求項３に記載の携帯端末。
【請求項５】
前記制御部は、前記緊急情報を前記表示部に表示すると、前記表示部のスクリーンショットを記憶部に保存し、保存した前記スクリーンショットを前記表示装置へ送信するように前記送信部を制御する、請求項３に記載の携帯端末。
【請求項６】
前記制御部は、前記緊急情報を前記表示部に表示すると、前記表示部に表示されている画像を前記表示装置へ送信するように前記送信部を制御する、請求項１に記載の携帯端末。
【請求項７】
前記制御部は、前記表示装置に送信する画像の横縦比を、前記表示装置の画面の横縦比に設定して前記表示装置へ送信するよう前記送信部を制御する、請求項６に記載の携帯端末。
【請求項８】
前記制御部は、前記表示部に表示されている画像を前記表示装置に送信するとともに、通知音を前記表示装置に送信する、請求項６に記載の携帯端末。
【請求項９】
前記表示装置はテレビである、請求項１に記載の携帯端末。
【発明の詳細な説明】
【技術分野】
【０００１】
本発明は、携帯端末に関する。
【背景技術】
【０００２】
携帯端末の普及が進んだ近年、緊急事態が発生した際、緊急情報を携帯端末に送信するシステムが開発されている。
【先行技術文献】
【特許文献】
【０００３】
【特許文献１】特開２０１４−３９１０４号公報
【発明の概要】
【発明が解決しようとする課題】
【０００４】
災害によって一部の通信事業者の通信網に障害が生じた場合や携帯端末が緊急情報の受信に対応していない場合、携帯端末によっては緊急情報を受信することができない場合がある。このような場合、緊急情報を受信できない携帯端末の利用者は、緊急事態に気づくことができない。
【０００５】
また、携帯端末を身近に置いていない場合または鞄にしまっている場合、利用者が携帯端末への緊急情報の着信に気づかない場合がある。このような場合も携帯端末の利用者は緊急事態に気づくことができない。
【課題を解決するための手段】
【０００６】
本発明の一態様の携帯端末は、緊急情報を受信する受信部と、受信部が受信した緊急情報を表示する表示部と、緊急情報を、携帯端末とは別の表示装置に送信する送信部と、緊急情報を表示部に表示すると、緊急情報を表示装置に送信するように送信部を制御する制御部とを備える。
【０００７】
本発明の他の態様の携帯端末は、緊急情報を受信する受信部と、受信部が受信した緊急情報を表示する表示部と、緊急情報を、携帯端末とは別の表示装置に送信する送信部と、受信部が前記緊急情報を受信したことに応答して、緊急情報を前記表示装置に送信するように送信部を制御する制御部とを備える。
【発明の効果】
【０００８】
本発明の一態様によれば、緊急事態の発生に気づき易くなる。
【図面の簡単な説明】
【０００９】
【図１】実施の形態に従うスマートフォンの機能構成を表す図である。
【図２】家庭内において複数人がテレビをみている状況で、スマートフォンが緊急災害情報を受信した様子を表す図である。
【図３】家庭内において、従来のスマートフォンのユーザが一人でテレビを観ている状況で、スマートフォンが緊急災害情報を受信した様子を表す図である。
【図４】実施の形態に従うスマートフォンが、受信した緊急災害情報をテレビに送信する様子を表す図である。
【図５】第１の実施の形態に従うスマートフォンが、テレビに緊急災害情報を送信する様子を表す概略図である。
【図６】第１の実施の形態に従うスマートフォンの制御部が、表示部に表示されている緊急災害情報の画像を、Ｍｉｒａｃａｓｔに基づいてテレビに送信する処理の流れを表すフローチャートである。
【図７】家庭内において複数人がテレビをみている状況で、実施の形態に従うスマートフォンが緊急災害情報を受信した様子を表す図である。
【図８】家庭内において、実施の形態に従うスマートフォンのユーザが一人でテレビを観ている状況で、実施の形態に従うスマートフォンが緊急災害情報を受信した様子を表す図である。
【図９】第２の実施の形態に従うスマートフォンの制御部が、緊急災害情報を表示する表示部をキャプチャした画像ファイルをＤＬＮＡに基づいてテレビに送信する処理を表すフローチャートである。
【図１０】第２の実施の形態の変形例に従うスマートフォンが、受信した緊急災害情報の内容を表示する画像ファイルをＤＬＮＡに基づいてテレビに送信する処理を表すフローチャートである。
【図１１】実施の形態に従うスマートフォンが、中継器を介さずに緊急災害情報をテレビに送信する様子を表す概略図である。
【発明を実施するための形態】
【００１０】
以下、本発明の実施の形態について、図面を参照しながら詳細に説明する。なお、図中同一または相当部分には同一符号を付してその説明は繰り返さない。
【００１１】
以下の実施の形態では、携帯端末としてスマートフォンを例に説明する。携帯端末はスマートフォンに限定されるものではなく、たとえばタブレットＰＣ、フィーチャーフォン（feature phone）、又はＰＤＡなどであってもよい。
【００１２】
また、以下の実施の形態では、緊急情報として、台風の上陸時に配信される緊急災害情報を例に説明する。
【００１３】
図１は、実施の形態に従うスマートフォン１の機能構成を表す図である。図１を参照して、スマートフォン１は、制御部１１と、第１通信部１２と、第２通信部１３と、入力部１４と、表示部１５と、記憶部１６と、スピーカ１７とを備える。
【００１４】
制御部１１は、図示しないがＣＰＵ（Central Processing Unit）、および記憶素子としてＳＲＡＭ（Static Random Access Memory）またはＤＲＡＭ（Dynamic Random Access Memory）を含み、スマートフォン１の動作を統合的に制御することができる。
【００１５】
第１通信部１２は、アンテナスイッチ、デュプレクサ、電力増幅器、低雑音増幅器、および帯域通過フィルタを含む。第１通信部１２は、ＬＴＥ（Long Term Evolution）またはＣＤＭＡ（Code Division Multiple Access）の方式に従い、通信事業者の通信網において通信を行なうことができる。第１通信部１２は、アンテナで受信した信号を処理して、当該信号を制御部１１に送信することができる。また、制御部１１は、第１通信部１２へ信号を送信し、第１通信部１２において信号処理された信号をアンテナから送信することができる。
【００１６】
第２通信部１３は、図示はしないが無線ＬＡＮ回路および無線ＬＡＮアンテナを含み、ＷｉＦｉ（登録商標）に基づいて、例えばＷｉＦｉアクセスポイントのようなＷｉＦｉ対応機器と通信を行なうことができる。
【００１７】
入力部１４は、ユーザからの入力を受け付け、制御部１１にその入力に基づく信号を送信することができる。入力部１４は、例えばボタンまたはタッチパネルから構成されてもよい。
【００１８】
表示部１５は、制御部１１から受信した信号に基づいて表示を行なうことができる。表示部１５は、例えば液晶ディスプレイ、プラズマディスプレイ、または有機ＥＬディスプレイから構成されてもよい。
【００１９】
記憶部１６は、制御部１１に読み出されて実行されるＯＳ（Operating System）、各種アプリケーションのプログラム、および当該プログラムによって使用される各種データを保存することができる。記憶部１６は、例えば、不揮発性の半導体メモリであるＲＯＭ（Read Only Memory）、ＥＥＰＲＯＭ（Electrically Erasable Programmable ROM）、フラッシュメモリ、または記憶装置であるＨＤＤ（Hard Disk Drive）を含んでもよい。
【００２０】
制御部１１は、第１通信部１２から受信した信号を解析し、Ｅ−ｍａｉｌおよびＳＭＳ（Short Message Service）を受信した旨、または音声通話の着信があった旨の表示を行なうように表示部１５を制御することができる。また、制御部１１は、このような受信または着信があった場合には、通知音をスピーカ１７に出力することができる。
【００２１】
従来のスマートフォンも上記のような構成を備えていたが、緊急災害情報に関して以下の図２および図３のような状況において問題があった。
【００２２】
図２は、家庭内において複数人がテレビ２を観ている状況で、スマートフォン１００が緊急災害情報を受信した様子を表す図である。図２においては、テレビ２を観ている者のうち、一人がスマートフォン１００を手元にもっている。このような状況でスマートフォン１００が緊急災害情報を受信した場合、スマートフォン１００が従来のスマートフォンであれば、スマートフォン１００のユーザは緊急災害情報に気づくことができるが、テレビ２を観ている他の者は緊急災害情報に気づくことができない。
【００２３】
また、図３は、家庭内においてスマートフォン１００のユーザが一人でテレビ２を観ている状況で、スマートフォン１００が緊急災害情報を受信した様子を表す図である。図３においては、スマートフォン１００はテレビ２を観ているユーザの手元にはなく、ユーザの鞄の中に入っている。このような状況で、スマートフォン１００が緊急災害情報を受信した場合、スマートフォン１００が従来のスマートフォンであれば、テレビ２を観ているスマートフォン１００のユーザは緊急災害情報に気づくことができない。
【００２４】
そこで以下では、上記のような状況において、テレビ２を観ている者が、スマートフォン１で表示（または受信）した緊急災害情報に気づくことができる実施の形態について説明する。具体的には、図４のようにスマートフォン１で表示（または受信）した緊急災害情報を、ＷｉＦｉでテレビ２に送信してテレビ２で表示する。スマートフォン１とテレビ２との通信方式の違いにより、第１の実施の形態と第２の実施の形態とに分けて説明する。
【００２５】
［第１の実施の形態］
第１の実施の形態においては、スマートフォン１とテレビ２とは、緊急災害情報に関する通信をＭｉｒａｃａｓｔ(Wi-Fi Display）に基づいて行なう。
【００２６】
図５は、第１の実施の形態に従うスマートフォン１が、Ｍｉｒａｃａｓｔに基づいてテレビ２に緊急災害情報を送信する様子を表す概略図である。
【００２７】
図５を参照して、台風が上陸する恐れがある場合、緊急災害情報配信サーバ３は緊急災害情報を配信する。緊急災害情報配信サーバ３としては、例えば、通信事業者が備えるサーバが考えられる。
【００２８】
緊急災害情報配信サーバ３から配信された緊急災害情報が、通信網４を経由してスマートフォン１に受信され、スマートフォン１の表示部１５に表示された場合を考える。スマートフォン１の制御部１１は、表示部１５が表示している緊急災害情報の画像を、中継器であるＷｉＦｉアクセスポイント５を介して、テレビ２に送信する。テレビ２は受信した緊急災害情報を表示する。
【００２９】
ＩＰアドレスのようなテレビ２を送信先として特定するための情報、およびＷｉＦｉアクセスポイント５のＩＰアドレスのような中継器に関する情報のように、テレビ２との接続に必要な情報（以下では、「接続情報」ともいう。）は、予め記憶部１６に登録されていてもよい。通常、Ｍｉｒａｃａｓｔによってスマートフォン１の表示部１５に表示されている画像を他の機器に送信する場合、スマートフォン１のユーザは、ＯＳの設定機能によって送信可能な機器の一覧を表示部１５に表示し、その中から送信先を選択する。しかし、緊急災害情報に関しては、そのような選択操作によるタイムロスによって対応が手遅れになる可能性がある。そこで、本実施の形態においては接続情報を予め登録しておき、上記の選択操作を省略することでタイムロスを解消することができる。
【００３０】
図６は、第１の実施の形態に従うスマートフォン１の制御部１１が、表示部１５に表示されている緊急災害情報の画像を、Ｍｉｒａｃａｓｔに基づいてテレビ２に送信する処理の流れを表すフローチャートである。以下で説明する手順は、スマートフォン１の制御部１１に記憶部１６から読み込まれたプログラムによって行なわれる。
【００３１】
図６を参照して、ステップＳ１０１において、制御部１１は、緊急災害情報が受信されたか否かを判定する。例えば、制御部１１は、配信されたＥ−ｍａｉｌまたはＳＭＳがブロードキャストされたものであるか、緊急災害情報であることを示す識別子がメッセージ中に含まれているかに基づいて、受信したメッセージが緊急災害情報であるか否かを判定する。
【００３２】
ステップＳ１０１において、第１通信部１２が緊急災害情報を受信した場合（Ｓ１０１にてＹＥＳの場合）、制御部１１はステップＳ１０２に処理を進める。第１通信部１２が受信したメッセージが緊急災害情報でない場合（Ｓ１０１にてＮＯの場合）、制御部１１は一定時間経過後にステップＳ１０１に処理を戻す。
【００３３】
ステップＳ１０２において、第１通信部１２が受信した緊急災害情報が、ユーザの入力に基づいて表示部１５に表示された場合（Ｓ１０２にてＹＥＳの場合）、制御部１１はステップＳ１０３に処理を進める。第１通信部１２が受信した緊急災害情報が表示部１５に表示されていない場合（Ｓ１０２にてＮＯの場合）、制御部１１は一定時間経過後にステップＳ１０１に処理を戻す。つまり、第１通信部１２が緊急災害情報を受信した後、一定時間内にその緊急災害情報が表示部１５に表示されないなら、その緊急災害情報はテレビ２に表示されない。なお、当該一定時間は、ユーザにより設定可能とすることもできる。
【００３４】
ステップＳ１０２における緊急災害情報の表示は、ユーザの入力を介さずに自動的に行なわれても構わない。この場合、緊急災害情報が自動的に表示部１５に表示された後、制御部１１はステップＳ１０３に処理を進める。
【００３５】
ステップＳ１０３において、記憶部１６にテレビ２の接続情報が登録されている場合（Ｓ１０３にてＹＥＳの場合）、制御部１１はステップＳ１０４に処理を進める。テレビ２の接続情報が登録されていない場合（Ｓ１０３にてＮＯの場合）、制御部１１は処理を終了する。
【００３６】
スマートフォン１に登録されている表示装置の接続情報は複数であっても構わない。例えば、登録されている複数のテレビに予め優先順位をつけおいて、ステップＳ１０３においてこの優先順位に従って接続の確立を試みるような処理が行なわれても構わない。例えば、優先順位が最も高く登録されている表示装置の電源が入っておらず、当該表示装置との接続が確立することができない場合に、当該表示装置の次に優先順位の高い表示装置との接続を試みるという処理が行なわれてもよい。
【００３７】
ステップＳ１０４において、制御部１１は、記憶部１６に登録されている接続情報に基づいて、テレビ２との接続を試みる。テレビ２との接続が確立された場合（Ｓ１０４にてＹＥＳの場合）、制御部１１はステップＳ１０５に処理を進める。テレビ２との接続が確立されなかった場合（Ｓ１０４にてＮＯの場合）、制御部１１は処理を終了する。
【００３８】
ステップＳ１０５において、制御部１１は、表示部１５が表示している画像を、Ｍｉｒａｃａｓｔに基づいてテレビ２に送信する。この際送信される情報としては、表示部１５の解像度、およびピクセル毎の座標値とＲＧＢ値が考えられる。その後、制御部１１は処理をステップＳ１０６に進む。
【００３９】
スマートフォン１とテレビ２とがＭｉｒａｃａｓｔに基づいて通信を行なう場合、スマートフォン１で発生させた音声をテレビ２でも発生させることが可能である。そこで、ステップＳ１０５において、制御部１１が、表示部１５に表示されている画像をＭｉｒａｃａｓｔに基づいてテレビ２に送信する際、スマートフォン１が緊急災害情報に特有の音楽またはチャイムのような通知音を発生するようにしてもよい。このような構成とすることにより、緊急災害情報がテレビ２に表示されると同時に通知音がテレビ２から発せられるので、テレビ２を観ている者は災害の発生を通知音によっても知ることができる。
【００４０】
また、スマートフォン１とテレビ２とがＭｉｒａｃａｓｔに基づいて通信を行なう場合、スマートフォン１で横長の画面表示をすると、テレビ２で表示される画像も横長のものとなる。そして、現在家庭で使用されているテレビの画面は横縦比が１６：９の横長の画面が多い。そこで、ステップＳ１０５において、制御部１１は、表示部１５に表示されている画像をＭｉｒａｃａｓｔに基づいてテレビ２に送信する際、テレビ２に送信する画像の横縦比を、テレビ２の画面の横縦比に合わせて横長となるように設定してもよい。このような構成とすることにより、テレビ２に表示される緊急災害情報の文字が大きくなって観やすくなる。
【００４１】
ステップＳ１０６において、制御部１１は、スマートフォン１とテレビ２との接続が切断されたか否かを判定する。スマートフォン１とテレビ２との接続が切断されていない場合（Ｓ１０６にてＮＯの場合）、制御部１１はステップＳ１０５に処理を戻す。スマートフォン１とテレビ２との接続が切断された場合（Ｓ１０６にてＹＥＳの場合）、制御部１１は処理を終了する。
【００４２】
制御部１１によって行なわれる上記のような処理により、スマートフォン１で表示された緊急災害情報がテレビ２に表示される。このことにより、図７のように、スマートフォン１のユーザは、スマートフォン１で表示した緊急災害情報を、テレビ２を観ている者と共有することができる。その結果、テレビ２を観ている者も緊急災害情報に気づき、台風の上陸のような緊急事態に気づくことができる。
【００４３】
また、ユーザの入力を介さずに自動的に緊急災害情報の表示部１５への表示が行われた場合、スマートフォン１がユーザの手元にない場合であっても、テレビ２を観ている当該ユーザは緊急災害情報に気づき、台風の上陸のような緊急事態を知ることができる（図８参照）。
【００４４】
［第２の実施の形態］
第１の実施の形態においては、スマートフォン１とテレビ２との通信がＭｉｒａｃａｓｔに基づいて行なわれる構成について説明した。第２の実施の形態においては、スマートフォン１とテレビ２との通信がＤＬＮＡ（Digital Living Network Alliance）に基づいて行なわれる構成について説明する。スマートフォン１とテレビ２との通信がＤＬＮＡに基づくこと以外は第１の実施の形態と同様であるため説明は繰り返さない。
【００４５】
図９は、第２の実施の形態に従うスマートフォン１の制御部１１が、緊急災害情報を表示する表示部１５をキャプチャした画像ファイル（以下、「スクリーンショット」ともいう。）をＤＬＮＡに基づいてテレビ２に送信する処理を表すフローチャートである。
【００４６】
図９を参照して、ステップＳ２０１において、制御部１１は、緊急災害情報が受信されたか否かを判定する。
【００４７】
ステップＳ２０１において、第１通信部１２が緊急災害情報を受信した場合（Ｓ２０１にてＹＥＳの場合）、制御部１１はステップＳ２０２に処理を進める。第１通信部１２が受信したメッセージが緊急災害情報でない場合（Ｓ２０１にてＮＯの場合）、制御部１１は一定時間経過後にステップＳ２０１に処理を戻す。
【００４８】
ステップＳ２０２において、第１通信部１２が受信した緊急災害情報がユーザの入力に基づいて表示部１５に表示された場合（Ｓ２０２にてＹＥＳの場合）、制御部１１はステップＳ２１０に処理を進める。第１通信部１２が受信した緊急災害情報がスマートフォン１の表示部１５に表示されていない場合（Ｓ２０２にてＮＯの場合）、制御部１１は一定時間経過後にステップＳ２０１に処理を戻す。つまり、第１通信部１２が緊急災害情報を受信した後、一定時間内にその緊急災害情報が表示部１５に表示されないなら、その緊急災害情報はテレビ２に表示されない。当該一定時間は、ユーザにより設定可能とすることもできる。
【００４９】
第１の実施の形態と同様に、ステップＳ２０２における緊急災害情報の表示部１５への表示は、ユーザの入力を介さずに自動的に行なわれても構わない。この場合、緊急災害情報が自動的に表示部１５に表示された後、制御部１１はステップＳ２０３に処理を進める。
【００５０】
ステップＳ２１０において、制御部１１は、緊急災害情報が表示されている表示部１５のスクリーンショットを記憶部１６に保存する。その後、制御部１１はステップＳ２０３に処理を進める。
【００５１】
第１の実施の形態においては、制御部１１は、表示部１５に表示されている画像をリアルタイムにテレビ２に送信していたが、第２の実施の形態においては、後述するステップＳ２０５において、ステップＳ２１０で保存した表示部１５のスクリーンショットをテレビ２に送信する。
【００５２】
ステップＳ２０３において、記憶部１６にテレビ２の接続情報が登録されている場合（Ｓ２０３にてＹＥＳの場合）、制御部１１は処理をステップＳ２０４に進める。記憶部１６にテレビ２の接続情報が登録されていない場合（Ｓ２０３にてＮＯの場合）、制御部１１は処理を終了する。
【００５３】
第１の実施の形態と同様に、スマートフォン１に接続情報が登録されているテレビの表示装置は複数であっても構わない。
【００５４】
ステップＳ２０４において、制御部１１は、登録されている接続情報に基づいてテレビ２との接続を試みる。スマートフォン１とテレビ２との接続が確立された場合（Ｓ２０４にてＹＥＳの場合）、制御部１１は、処理をステップＳ２０５に進む。スマートフォン１とテレビ２との接続が確立されなかった場合（Ｓ２０４にてＮＯの場合）、制御部１１は処理を終了する。
【００５５】
ステップＳ２０５においては、制御部１１は、ステップＳ２１０において保存した表示部１５のスクリーンショットをＤＬＮＡに基づいてテレビ２に送信する。その後、制御部１１はステップＳ２０６に処理を進める。
【００５６】
ステップＳ２０６において、制御部１１は、ＤＬＮＡに基づくスマートフォン１とテレビ２との接続が切断されたか否かを判定する。スマートフォン１とテレビ２との接続が切断されていない場合（Ｓ２０６にてＮＯの場合）、制御部１１はステップＳ２０５に処理を戻す。スマートフォン１とテレビ２との接続が切断された場合（Ｓ２０６にてＹＥＳの場合）、制御部１１は処理を終了する。
【００５７】
制御部１１によって行なわれる上記のような処理により、緊急災害情報が表示された表示部１５のスクリーンショットがテレビ２に表示される。このことにより、スマートフォン１のユーザは、表示部１５で表示された緊急災害情報を、テレビ２を観ている者と共有することができる（図７参照）。その結果、テレビ２を観ている者も緊急災害情報に気づき、台風の上陸のような緊急事態に気づくことができる。
【００５８】
また、ユーザの入力を介さずに自動的に緊急災害情報の表示部１５への表示が行われた場合、スマートフォン１がユーザの手元にない場合であっても、テレビ２を観ている当該ユーザは緊急災害情報に気づき、台風の上陸のような緊急事態を知ることができる（図８参照）。
【００５９】
［第２の実施の形態の変形例］
第２の実施の形態においては、制御部１１は、第１通信部１２が受信した緊急災害情報を、表示部１５に表示したか否かをステップＳ２０２において判定していた。そして、制御部１１が、緊急災害情報を表示部１５に表示するともに表示部１５のスクリーンショットを記憶部１６に保存し、保存したスクリーンショットをテレビ２に送信していた。以下では、ステップＳ２０２を行なわずに、緊急災害情報の内容を表示する画像ファイルをテレビ２に送信する変形例について説明する。
【００６０】
図１０は、第２の実施の形態の変形例に従うスマートフォン１が、受信した緊急災害情報の内容を表示する画像ファイルをＤＬＮＡに基づいてテレビ２に送信する処理を表すフローチャートである。
【００６１】
図１０を参照して、ステップＳ２０１においては、緊急災害情報が受信されたか否かを判定し、緊急災害情報を受信した場合（Ｓ２０１にてＹＥＳ）には、制御部１１は、ステップＳ２０３に処理を進める。
【００６２】
スマートフォン１とテレビ２とがＤＬＮＡに基づいて通信を行なう場合、制御部１１は、第１通信部１２が受信したメッセージの内容を表示部１５への表示を介さずに画像ファイルとして保存することができる。そのため、本変形例においてはステップＳ２０２は行なわれない。
【００６３】
ステップＳ２０３以降の処理については、第２の実施の形態と同様であるため説明は繰り返さない。
【００６４】
本変形例においては、スマートフォン１は、緊急災害情報を受信したことに応答して、緊急災害情報を受信するとほぼ同時にその内容を表示する画像ファイルをテレビ２に送信する。このことにより、スマートフォン１のユーザは、スマートフォン１で受信した緊急災害情報を、テレビ２を観ている者と共有することができる（図７参照）。その結果、テレビ２を観ている者も緊急災害情報に気づき、台風の上陸のような緊急事態に気づくことができる。
【００６５】
また、本変形例においては、ユーザの表示操作を介さずに、緊急災害情報を受信すると同時にその内容を表示する画像ファイルをテレビ２に送信する。このことにより、スマートフォン１がユーザの手元にない場合であっても、テレビ２を観ている当該ユーザは緊急災害情報に気づき、台風の上陸のような緊急事態を知ることができる（図８参照）。
【００６６】
なお、本発明は、上記の実施の形態に限定されるものではない。例えば、図１１に示すように、スマートフォン１とテレビ２とが、ＷｉＦｉアクセスポイントを介さないＷｉＦｉ  Ｄｉｒｅｃｔによって通信しても構わない。テレビとの通信を、ＷｉＦｉアクセスポイントを介するか、あるいはＷｉＦｉ  Ｄｉｒｅｃｔによって行なうかは、中継器に関する情報として予めスマートフォン１に登録されていてもよい。このことにより、スマートフォン１のユーザは、受信した緊急災害情報をテレビ２に送信する際に、ＷｉＦｉアクセスポイントを介するか、あるいはＷｉＦｉ  Ｄｉｒｅｃｔによって行なうかの選択を省くことができる。
【００６７】
また、スマートフォン１のユーザは、受信した緊急災害情報をテレビ２に送信する際に、Ｍｉｒａｃａｓｔを利用するか、ＤＬＮＡを利用するかを予め設定しておくことができる。
【００６８】
また、上記した実施の形態においては、スマートフォンとは別に存在する外部の表示装置としてテレビを用いる場合について説明したが、ＷｉＦｉでの通信が可能なものであれば実施の形態を適用可能である。例えば、表示装置はＷｉＦｉでの通信が可能なパーソナルコンピュータ用ディスプレイであっても構わない。
【００６９】
さらに、緊急情報は緊急災害情報に限られず、緊急地震速報、気象警報、津波警報、噴火警報、あるいは有事の際に発せられる国民保護情報のような緊急性の高い情報を含む。
【００７０】
今回開示された実施の形態はすべての点で例示であって制限的なものではないと考えられるべきである。本発明の範囲は上記した説明ではなくて特許請求の範囲によって示され、特許請求の範囲と均の意味および範囲内でのすべての変更が含まれることが意図される。
【符号の説明】
【００７１】
１，１００  スマートフォン、２  テレビ、３  緊急災害情報配信サーバ、４  通信網、５  アクセスポイント、１１  制御部、１２  第１通信部、１３  第２通信部、１４  入力部、１５  表示部、１６  記憶部、１７  スピーカ。
【図１】
0006491892.tif 000002
【図２】
0006491892.tif 000003
【図３】
0006491892.tif 000004
【図４】
0006491892.tif 000005
【図５】
0006491892.tif 000006
【図６】
0006491892.tif 000007
【図７】
0006491892.tif 000008
【図８】
0006491892.tif 000009
【図９】
0006491892.tif 000010
【図１０】
0006491892.tif 000011
【図１１】
0006491892.tif 000012